(57)【要約】【課題】様々な用途に使用するために多様な変形が可能なテーブルを提供する。【解決手段】変形可能なテーブル１は、第１の天板１０と、第２の天板２０と、第３の天板３０と、第４の天板４０と、第１の天板１０から第４の天板４０に取り付けられる複数の脚部材５０と、第１の天板１０から第４の天板４０のうちの２つに架け渡されて、架け渡された２つの天板を連結する複数の連結部材６１〜６３と、を備えている。【選択図】図１
2018138112.tif 000002
【特許請求の範囲】
【請求項１】
第１の天板と、第２の天板と、第３の天板と、第４の天板と、
前記第１の天板から前記第４の天板に取り付けられる複数の脚部材と、
前記第１の天板から前記第４の天板のうちの２つに架け渡されて、架け渡された２つの天板を連結する複数の連結部材と、を備えるテーブル。
【請求項２】
前記第１の天板から前記第４の天板は、それぞれ複数の取付位置を有し、
複数の前記脚部材は、複数の前記取付位置の中から選択して、着脱可能に取り付けられるようになっている、請求項１に記載されたテーブル。
【請求項３】
複数の前記連結部材は、複数の前記取付位置の中から選択して、着脱可能に取り付けられるようになっている、請求項２に記載されたテーブル。
【請求項４】
前記第１の天板と前記第２の天板を連結する前記連結部材としてのリンク機構と、前記第２の天板と前記第３の天板を連結する前記連結部材としてのリンク機構と、前記第３の天板と前記第４の天板を連結する前記連結部材としてのリンク機構と、前記第４の天板と前記第１の天板を連結する前記連結部材としてのリンク機構であって、前記第４の天板又は前記第１の天板のいずれか一方に着脱可能に取り付けられるリンク機構と、を備える、請求項１に記載されたテーブル。
【請求項５】
前記第１の天板から前記第４の天板は、同一形状の直角二等辺三角形に形成され、４つの直角部を中心近傍に集めることで、全体として底辺部を一辺とする正方形に連結されるようになっている、請求項１乃至請求項４のいずれか一項に記載されたテーブル。
【請求項６】
前記第１の天板から前記第４の天板は、同一形状の直角二等辺三角形に形成され、２つずつ底辺部を隣接させることで、全体として２つの正方形に連結されるようになっている、請求項１乃至請求項５のいずれか一項に記載されたテーブル。
【請求項７】
前記２つの正方形の辺どうしが隣接するように配置されて、全体として長方形に連結されるようになっている、請求項６に記載されたテーブル。
【請求項８】
前記第１の天板から前記第４の天板は、同一形状の直角二等辺三角形に形成され、それぞれの直角部を外側にした状態で４つの底辺部によって正方形を構成することで、全体として底辺部を一辺とする正方形の開口部を有し２つの斜辺部を足した長さを一辺とする正方形に連結されるようになっている、請求項１乃至請求項７のいずれか一項に記載されたテーブル。
【請求項９】
前記第１の天板から前記第４の天板は、同一形状の直角二等辺三角形に形成され、２つずつ底辺部が直線的に連続するようにされ、全体として直角部が内側を向いた富士山形状に連結されるようになっている、請求項１乃至請求項８のいずれか一項に記載されたテーブル。
【請求項１０】
前記第１の天板から前記第４の天板は、同一形状の直角二等辺三角形に形成され、２つずつ底辺部が直線的に連続するようにされ、全体として直角部が外側を向いた富士山形状に連結されるようになっている、請求項１乃至請求項９のいずれか一項に記載されたテーブル。
【発明の詳細な説明】
【技術分野】
【０００１】
本発明は、形状を変化させることができるテーブルに関するものである。
【背景技術】
【０００２】
従来から、屋外にて使用されるテーブルとして、バーベキュー用のコンロを配置することができるテーブルが知られている。一方で、屋外でのキャンプ等の活動では、バーベキュー用のコンロではなく、例えば、鍋やダッチオーブンを使用することも多い。バーベキュー用と鍋用では、必要とされる機能・形状が異なるため、一台のテーブルで兼用することは難しかった。
【０００３】
そのため、バーベキュー用と鍋用の二種類のテーブルを準備し、その都度、使用目的に合ったテーブルを準備することもできるが、スペース及び費用の面で問題がある。そこで、例えば特許文献１には、一台でバーベキューにも鍋料理にも適した使用形態になるように変形するテーブルが記載されている。
【先行技術文献】
【特許文献】
【０００４】
【特許文献１】特開２０１５−９７６７１号公報
【発明の概要】
【発明が解決しようとする課題】
【０００５】
しかしながら、前述した特許文献１に記載されたテーブルは、バーベキュー用、鍋用の二種類の用途に使用することを目的としている。そのため、様々な用途に使用するための他の形態に変形することは難しかった。
【０００６】
そこで、本発明は、様々な用途に使用するために多様な変形が可能なテーブルを提供することを目的としている。
【課題を解決するための手段】
【０００７】
前記目的を達成するために、本発明のテーブルは、第１の天板と、第２の天板と、第３の天板と、第４の天板と、前記第１の天板から前記第４の天板に取り付けられる複数の脚部材と、前記第１の天板から前記第４の天板のうちの２つに架け渡されて、架け渡された２つの天板を連結する複数の連結部材と、を備えている。
【発明の効果】
【０００８】
このように、本発明のテーブルは、第１の天板と、第２の天板と、第３の天板と、第４の天板と、第１の天板から第４の天板に取り付けられる複数の脚部材と、第１の天板から第４の天板のうちの２つに架け渡されて、架け渡された２つの天板を連結する複数の連結部材と、を備えている。このような構成によれば、様々な用途に使用するために多様な変形が可能なテーブルとなる。
【図面の簡単な説明】
【０００９】
【図１】天板の平面図である。
【図２】脚部材の説明図である。（ａ）は正面図、（ｂ）は側面図である。
【図３】連結部材の説明図である。（ａ）は小サイズ、（ｂ）は中サイズ、（ｃ）は大サイズである。
【図４】連結箇所近傍の詳細図である。
【図５】テーブルの形態の説明図である。正方形である。
【図６】テーブルの形態の説明図である。２つの正方形である。
【図７】テーブルの形態の説明図である。長方形である。
【図８】テーブルの形態の説明図である。開口部を有する正方形である。
【図９】テーブルの形態の説明図である。内向きの富士山形である。
【図１０】テーブルの形態の説明図である。外向きの富士山形である。
【図１１】別形態のテーブルの背面図である。
【図１２】脚部材の説明図である。（ａ）は正面図、（ｂ）は側面図である。
【図１３】脚部材の取り付け方法の説明図である。（ａ）は挿入掛止部を挿入した状態であり、（ｂ）は回転途中であり、（ｃ）は取り付けが完了した状態である。
【発明を実施するための形態】
【００１０】
以下、本発明の実施の形態について図面を参照して説明する。
【実施例１】
【００１１】
（構成）
まず、図５〜図１０を用いて本実施例のテーブル１の全体構成を説明する。本実施例のテーブル１は、図５〜図１０に示すように、第１の天板１０と、第２の天板２０と、第３の天板３０と、第４の天板４０と、複数の脚部材５０、・・・と、連結部材（６１、６２、６３）と、を備えている。
【００１２】
第１の天板１０から第４の天板４０は、同一の構成であるから、代表して第１の天板１０の構成について説明する。第１の天板１０は、図１に示すように、表面を構成する木製の本体部１０１と、本体部１０１の背面に取り付けられる金属製の枠体部１０２と、から構成されており、全体として略直角二等辺三角形に構成されている。すなわち、第１の天板１０の平面形状は、直角二等辺三角形の直角部と底角部を４５度に面取りした形状となっている。枠体部１０２の形状（模様）は、図１に示したトラス状に限定されるものではなく、どのような形状（模様）であってもよい。
【００１３】
そして、背面の枠体部１０２には、直角部から順に、後述する連結部材（６１、６２、６３）とともに取付位置を構成するネジ部１０２ａ、１０２ｂ、１０２ｃ、１０２ｄ、１０２ｅ、１０２ｆが配置されている。すなわち、直角二等辺三角形の１つの直角部と２つの底角部にそれぞれ４つずつのネジ部が配置されている。
【００１４】
より具体的にいうと、各辺の隅角部近傍には頂点から近い位置のネジ部と遠い位置のネジ部とが配置されている。ここにおいて、各ネジ部１０２ａ〜１０２ｆは、枠体部１０２に設けたネジ孔にネジ等を螺合させるものであってもよいし、ネジ溝が螺刻された円柱を溶接させるものであってもよい。
【００１５】
脚部材５０は、図２（ａ）、（ｂ）に示すように、全体として金属製の細長い板状に形成されるものであり、本体部５００と、本体部５００の上部を折り曲げて形成された挟持部５０１と、本体部５００の下部を折り曲げて形成された接地部５０２と、を備えている。
【００１６】
この挟持部５０１を、後述する連結部材６１〜６３と、天板１０（２０、３０、４０）の枠体部１０２と、によって挟み込むことで、脚部材５０が天板１０に着脱可能に取り付けられるようになっている。すなわち、ネジ部１０２ａ等に連結部材６１〜６３の長孔６１ａ〜６３ａを挿通させたうえで、脚部材５０の挟持部５０１を、ナット、蝶ネジ等の締付手段によって締め付けて天板１０に固定する。これとは逆に、締付手段を緩めることで脚部材５０を取り外すことができる。
【００１７】
連結部材６１〜６３は、図３（ａ）、（ｂ）、（ｃ）に示すように、金属製の板片であり、両側に１つずつ長手方向に沿った形状の長孔６１ａ（６２ａ、６３ａ）が設けられている。３種類の連結部材６１〜６３は、嵌め込まれるネジ部１０２ａ〜１０２ｆ間の距離に応じて使い分けられる。すなわち、ネジ部１０２ａ〜１０２ｆ間の距離が近ければ小サイズの連結部材６１を使用し、ネジ部１０２ａ〜１０２ｆ間の距離が中程度であれば中サイズの連結部材６２を使用し、ネジ部１０２ａ〜１０２ｆ間の距離が遠ければ大サイズの連結部材６３を使用する。
【００１８】
さらに、連結部材６１〜６３は、上述したような２つの天板に架け渡されて２つの天板を連結する連結手段としての役割の他にも、脚部材５０の挟持部５０１を天板１０（２０〜４０）に対して押しつける役割も有している。脚部材５０の挟持部５０１を取り付ける役割を考慮すると、全体のバランスをみて適切な位置に連結部材６１〜６３が配置される。したがって、１つの天板１０（２０〜４０）に２つ以上の脚部材５０が配置される場合もある。さらにいうと、連結手段としての役割と押し付ける役割の両方を兼ね備えることも、もちろん可能である。
【００１９】
後述する図５〜図１０に示すように、天板１０（２０〜４０）のレイアウトに応じて、使用する連結部材６１〜６３の位置を変えることによって、テーブル１の全体を一体に連結しつつ、自立させることが可能となる。
【００２０】
ここにおいて、一例として図４を用いて、第１の天板１０と第２の天板２０の連結箇所の構成について説明する。図４に示すように、第１の天板１０と第２の天板２０は、底辺が直線的に並ぶように隣接して配置されている。そして、第１の天板１０のネジ部１０２ｄと第２の天板２０のネジ部２０２ｄとが連結部材６１によって連結されるとともに、第１の天板１０のネジ部１０２ｅと第２の天板２０のネジ部２０２ｅとが連結部材６２によって連結されている。
【００２１】
（展開の態様）
次に、図５〜図１０を用いて、第１の天板１０〜第４の天板４０を連結して構成されるテーブル１の全体形状について説明する。なお、図５〜図１０では、説明の便宜のために、連結部材６１〜６３を直線で表示している。
【００２２】
（態様１：正方形）
第１の天板１０〜第４の天板４０は、図５に示すように、４つの直角部を中心近傍に集めることで（それぞれの直角部を中心近傍に集めることで）、全体として底辺部を一辺とする正方形に連結される。具体的にいうと、第１の天板１０〜第４の天板４０は、隣接する底角部を４つの連結部材６３によって連結される。そして、内側に位置する直角部に４つの連結部材６２、・・・が取り付けられて４つの脚部材５０、・・・が挟持される。さらに、外側の４つの連結部材６３、・・・によって脚部材５０、・・・を挟持させることもできる。
【００２３】
（態様２：２つの正方形）
第１の天板１０〜第４の天板４０は、図６に示すように、２つずつ底辺部を隣接させて正方形を２つ構成し、２つの正方形の角どうしが正対して隣接するように配置されて、全体として２つの正方形に連結される。具体的にいうと、第１の天板１０と第２の天板２０は、隣接する底角部を２つの連結部材６３、６３によって連結される。さらに、２つの正方形は、２つの連結部材６１、６１によって連結される。そして、４つの直角部に連結部材６２、・・・が取り付けられて４つの脚部材５０、・・・を挟持させる。
【００２４】
（態様３：長方形）
第１の天板１０〜第４の天板４０は、図７に示すように、２つずつ底辺部を隣接させて正方形を２つ構成し、２つの正方形の辺どうしが隣接するように配置されて、全体として長方形に連結される。具体的にいうと、第１の天板１０（第３の天板３０）と第２の天板２０（第４の天板４０）は、隣接する底角部を１つの連結部材６３によって連結される。さらに、２つの正方形は、２つの連結部材６３、６３と１つの連結部材６２によって連結される。そして、２つの直角部に連結部材６２、６２が取り付けられて２つの脚部材５０、５０を挟持させ、上述した２つの連結部材６３、６３によって、２つの脚部材５０、・・・を挟持させる。
【００２５】
（態様４：開口部を有する正方形）
第１の天板１０〜第４の天板４０は、図８に示すように、それぞれの直角部を外側にした状態で４つの底辺部によって正方形を構成することで、全体として底辺部を一辺とする正方形の開口部を有し２つの斜辺部を足した長さを一辺とする正方形に連結される。具体的にいうと、第１の天板１０〜第４の天板４０は、隣接する底角部を４つの連結部材６３、・・・によって連結される。そして、４つの直角部に４つの連結部材６２、・・・が取り付けられて４つの脚部材５０、・・・を挟持させる。
【００２６】
（態様５：内向きの富士山形）
第１の天板１０〜第４の天板４０は、図９に示すように、２つずつ底辺部が直線的に連続するようにされ、全体として直角部が内側を向いた富士山形状に連結される。具体的にいうと、第１の天板１０（第３の天板３０）と第２の天板２０（第４の天板４０）は、隣接する底角部を２つの連結部材６１、６２によって連結される。そして、１つの底角部に１つの連結部材６３が取り付けられて左右が連結される。そして、全体で４つの直角部と連結されていない２つの底角部に６つの連結部材６１、６１、６２、６２、６２、６２が取り付けられて６つの脚部材５０を挟持させる。
【００２７】
（態様６：外向きの富士山形）
第１の天板１０〜第４の天板４０は、図１０に示すように、２つずつ底辺部が直線的に連続するようにされ、全体として直角部が外側を向いた富士山形状に連結される。具体的にいうと、第１の天板１０（第３の天板３０）と第２の天板２０（第４の天板４０）は、隣接する底角部を２つの連結部材６１、６２によって連結される。そして、１つの底角部に１つの連結部材６３が取り付けられて左右が連結される。そして、全体で４つの直角部と連結されていない２つの底角部に６つの連結部材６１、６１、６２、６２、６２、６２が取り付けられて６つの脚部材５０を挟持させる。
【００２８】
（効果）
次に、本実施例のテーブル１の奏する効果を列挙して説明する。
【００２９】
（１）上述してきたように、本実施例のテーブル１は、第１の天板１０と、第２の天板２０と、第３の天板３０と、第４の天板４０と、第１の天板１０から第４の天板４０に取り付けられる複数の脚部材５０と、第１の天板１０から第４の天板４０のうちの２つに架け渡されて、架け渡された２つの天板を連結する複数の連結部材６１〜６３と、を備えている。このような構成であれば、４つの天板を展開・集束させることで、多様な変形が可能となり、様々な用途に使用することができる。
【００３０】
（２）また、第１の天板１０から第４の天板４０は、それぞれ複数の取付位置（例えば１０２ａ〜１０２ｆなど）を有し、複数の脚部材５０は、複数の取付位置の中から選択して、着脱可能に取り付けられるようになっている。このような構成であるため、後述するように複数の天板１０〜４０を様々な平面形状に展開させても、脚部材５０の適切な位置に取り付けることによって、テーブル１全体を自立させることができる。
【００３１】
（３）さらに、複数の連結部材６１〜６３は、複数の取付位置（１０２ａ〜１０２ｆ）の中から選択して、着脱可能に取り付けられるようになっている。このような構成であるため、自由な展開が可能となる。すなわち、天板１０〜４０の多様なレイアウトにも対応して、連結させることが可能となる。
【００３２】
（４）また、第１の天板１０から第４の天板４０は、同一形状の直角二等辺三角形に形成され、４つの直角部を中心近傍に集めることで、全体として底辺部を一辺とする正方形に連結されるようになっている。このレイアウトであれば、広い正方形のテーブルとして使用することができる。
【００３３】
（５）さらに、第１の天板１０から第４の天板４０は、同一形状の直角二等辺三角形に形成され、２つずつ底辺部を隣接させることで、全体として２つの正方形に連結されるようになっている。このレイアウトであれば、例えば８人までの人数に対応して、各自の席を確保することができる。
【００３４】
（６）また、上述した２つの正方形の辺どうしが隣接するように配置されて、全体として長方形に連結されるようになっている。このレイアウトであれば、例えば６人までの人数に対応して、各自の席を確保することができる。
【００３５】
（７）さらに、第１の天板１０から第４の天板４０は、同一形状の直角二等辺三角形に形成され、それぞれの直角部を外側にした状態で４つの底辺部によって正方形を構成することで、全体として底辺部を一辺とする正方形の開口部を有し２つの斜辺部を足した長さを一辺とする正方形に連結されるようになっている。このレイアウトであれば、例えば８人までの人数に対応して、各自の席を確保することができる。さらに、席と席の間が離れているため、全体を見渡すことができる。
【００３６】
（８）また、第１の天板１０から第４の天板４０は、同一形状の直角二等辺三角形に形成され、２つずつ底辺部が直線的に連続するようにされ、全体として直角部が内側を向いた富士山形状に連結されるようになっている。このレイアウトであれば、富士山形の頂点の場所に、主役（又は行司役）を配置することで、全体を見渡しつつ左右の参加者の意見を聞いたり、クイズ大会を開催したりすることができる。
【００３７】
（９）さらに、第１の天板１０から第４の天板４０は、同一形状の直角二等辺三角形に形成され、２つずつ底辺部が直線的に連続するようにされ、全体として直角部が外側を向いた富士山形状に連結されるようになっている。このレイアウトであれば、富士山形の頂点の場所に、主役（又は行司役）を配置することで、全体を見渡しつつ左右の参加者の意見を聞いたり、クイズ大会を開催したりすることができる。
【実施例２】
【００３８】
以下、図１１〜図１３を用いて、実施例１とは別の形態のテーブル１Ａについて説明する。なお、前記実施の形態で説明した内容と同一乃至均等な部分の説明については同一符号を付して説明する。
【００３９】
（構成）
本実施例のテーブル１Ａは、図１１に示すように、第１の天板１０と、第２の天板２０と、第３の天板３０と、第４の天板４０と、取付板７１、７２と、複数の脚部材９０、・・・と、連結部材としてのリンク部材８０、・・・と、を備えている。なお、説明の便宜のために、第１の天板１０のみに取付板７１、７２を描いたが、第２の天板２０〜第４の天板４０にも取付板７１、７２は配置されている（鎖線を参照）。
【００４０】
第１の天板１０〜第４の天板４０には、図１１に示すように、直角部の近傍に取付板７１が設けられるとともに、一方の底角部の近傍に取付板７２が設けられる。そして、取付板７１、７２には、土星形（円孔に直径方向に延びる長孔を加えた形状）の孔７１ａ、７２ａが形成されている。
【００４１】
脚部材９０は、図１２に示すように、本体部の上端に形成される挿入掛止部９１と、挿入掛止部９１のすぐ下方に形成される切欠９３と、挿入掛止部９１の反対側を折り曲げて形成される接地部９２と、を備えている。挿入掛止部９１は、取付板７１、７２の孔７１ａ、７２ａに挿入されて掛止される。挿入掛止部９１の両端は鉤状になっており、取付板７１、７２の側縁に掛止されるようになっている。
【００４２】
（脚部材の取付手順）
次に、図１３（ａ）〜（ｃ）を用いて、脚部材９０の取付板７１（７２）への取付手順について説明する。以下、直角部近傍の取付板７１を例として説明するが、底角部近傍の取付板７２でも同一の取付手順となる。まず、脚部材９０の挿入掛止部９１を、取付板７１の孔７１ａに挿入する（図１３（ａ）参照）。次に、脚部材９０の切欠９３の位置を取付板７１の厚みに合わせた状態で脚部材９０を回転させる（図１３（ｂ）参照）。次に、９０度回転させると、挿入掛止部９１の両端の鉤状の部分によって、取付板７１の側縁を抱え込むようにする（図１３（ｃ）参照）。そして、脚部材９０を傾倒させると、脚部材９０の上端が天板１０に接触するとともに、鉤状の部分で取付板７１を抱え込むことによって、脚部材９０の位置が固定される。
【００４３】
（効果）
次に、本実施例のテーブル１Ａの奏する効果について説明する。
【００４４】
（１）上述してきたように、本実施例のテーブル１Ａは、第１の天板１０と、第２の天板２０と、第３の天板３０と、第４の天板４０と、第１の天板１０から第４の天板４０に取り付けられる複数の脚部材９０と、第１の天板１０から第４の天板４０のうちの２つに架け渡されて、架け渡された２つの天板を連結する複数の連結部材としてのリンク部材８０、・・・と、を備えている。このような構成であれば、４つの天板を展開・集束させることで、多様な変形が可能となり、様々な用途に使用することができる。
【００４５】
（２）さらに、第１の天板１０と第２の天板２０を連結する連結部材としてのリンク機構８０、８０と、第２の天板２０と第３の天板３０を連結する連結部材としてのリンク機構８０、８０と、第３の天板３０と第４の天板４０を連結する連結部材としてのリンク機構８０、８０と、第４の天板４０と第１の天板１０を連結する連結部材としてのリンク機構８０、８０であって、第４の天板４０又は第１の天板１０のいずれか一方に着脱可能に取り付けられるリンク機構８０、８０と、を備えている。このような構成であるため、展開・集束の作業の度にボルトや蝶ネジを締め付ける必要がなくなるため展開・集束の作業が容易となる。さらに、リンク部材８０は天板１０に連繋されているため、リンク部材８０を紛失することもない。
【００４６】
なお、この他の構成および作用効果については、実施例１と略同様であるため説明を省略する。
【００４７】
以上、図面を参照して、本発明の実施例を詳述してきたが、具体的な構成は、この実施例に限らず、本発明の要旨を逸脱しない程度の設計的変更は、本発明に含まれる。
【符号の説明】
【００４８】
１、１Ａ    テーブル
１０        第１の天板
２０        第２の天板
３０        第３の天板
４０        第４の天板
５０        脚部材
６１、６２、６３  連結部材
７１、７２  取付板
８０        リンク部材
９０        脚部材
１０１      本体部
１０２      枠体部
１０２ａ〜１０２ｆ  ネジ部（取付位置）
【図１】
2018138112.tif 000003
【図２】
2018138112.tif 000004
【図３】
2018138112.tif 000005
【図４】
2018138112.tif 000006
【図５】
2018138112.tif 000007
【図６】
2018138112.tif 000008
【図７】
2018138112.tif 000009
【図８】
2018138112.tif 000010
【図９】
2018138112.tif 000011
【図１０】
2018138112.tif 000012
【図１１】
2018138112.tif 000013
【図１２】
2018138112.tif 000014
【図１３】
2018138112.tif 000015